(57)【要約】【課題】コンテンツの保護を図りながらその移し替えが可能な移動通信端末及びそのプログラム、ＩＣカード及びそのプログラム、移動通信端末システムを提供する。【解決手段】携帯電話機４０は、装着しているＩＣカード６０の使用者情報を利用して無線通信を行う無線通信部４４と、装着しているＩＣカード６０の使用者情報を利用してコンテンツを取得するコンテンツ管理部４２１と、コンテンツが取得されたときに、ＩＣカード６０から取得した使用者識別情報とコンテンツとを対応づけて記憶する不揮発性メモリ４３３と、不揮発性メモリ４３３に記憶されているコンテンツを装着しているＩＣカード６０へ出力する場合に、ＩＣカード６０から取得した使用者識別情報と、出力対象となるコンテンツに対応づけて不揮発性メモリ４３３に記憶されている使用者識別情報とを照合し、照合結果に基づいてコンテンツの出力の可否を判定するコンテンツ管理部４２１とを備える。【選択図】図１
2007181108.tif 000002
【特許請求の範囲】
【請求項１】
ＩＣカードを着脱自在に装着し、装着しているＩＣカードと通信を行う通信手段と、前記ＩＣカードに記憶されている使用者情報を利用して無線通信を行う無線通信手段とを備える移動通信端末において、
前記ＩＣカードに記憶されている使用者情報を利用してコンテンツを取得するコンテンツ取得手段と、
前記コンテンツ取得手段によってコンテンツが取得されたときに、装着しているＩＣカードから取得した使用者識別情報と、前記コンテンツとを対応づけて記憶するコンテンツ記憶手段と、
前記コンテンツ記憶手段に記憶されているコンテンツを、装着しているＩＣカードへ出力する場合に、このＩＣカードから取得した使用者識別情報と、出力対象となるコンテンツに対応づけて前記コンテンツ記憶手段に記憶されている使用者識別情報とを照合する照合手段と、
前記照合手段の照合結果に基づいて、この出力指示に応じてコンテンツの出力の可否を判定する出力可否判定手段とを備えること
を特徴とする移動通信端末。
【請求項２】
請求項１に記載の移動通信端末において、
前記コンテンツ取得手段は、前記ＩＣカードに記憶されている使用者情報をコンテンツ取得についての決済に利用し、前記無線通信手段を介して外部からコンテンツを取得すること
を特徴とする移動通信端末。
【請求項３】
請求項１又は請求項２に記載の移動通信端末において、
前記コンテンツ取得手段は、前記無線通信手段を介して外部からコンテンツと、このコンテンツの外部への出力を制限するか否か、及び／又は、このコンテンツの外部への出力の条件を示す出力制限情報を取得し、
前記コンテンツ記憶手段は、コンテンツと、その出力制限情報とを対応させて記憶し、
前記出力可否判定手段は、前記コンテンツ取得手段によって取得される出力制限情報と、前記照合手段の照合結果とに基づいて、前記コンテンツの出力の可否を判定すること
を特徴とする移動通信端末。
【請求項４】
請求項１から請求項３までのいずれか１項に記載の移動通信端末において、
前記通信手段は、前記出力可否判定手段の判定結果に応じて、コンテンツ、又は、前記コンテンツ及びその出力制限情報を前記ＩＣカードへ出力し、
前記通信手段によってコンテンツのＩＣカードへの出力が完了した場合に、前記コンテンツ記憶手段に記憶されている出力対象となったコンテンツを削除するコンテンツ削除手段を備えること
を特徴とする移動通信端末。
【請求項５】
請求項１から請求項４までのいずれか１項に記載の移動通信端末において、
前記通信手段は、第１インターフェイス及び第２インターフェイスを備え、
前記第１インターフェイスは、ＩＣカード規格に準拠する通信インターフェイスであり、
前記第２インターフェイスは、メモリカードの仕様又はＵＳＢの仕様に準拠する通信インターフェイスであること
を特徴とする移動通信端末。
【請求項６】
着脱自在に装着しているＩＣカードに記憶されている使用者情報を利用して無線通信を行う移動通信端末に実行させる移動通信端末のプログラムであって、
請求項１から請求項５までのいずれか１項に記載の移動通信端末の各手段の機能を実行するための手順を備えていること
を特徴とする移動通信端末のプログラム。
【請求項７】
移動通信端末に装着され、この移動通信端末が無線通信を行う場合に利用する使用者情報を記憶する使用者情報記憶手段と、前記装着されている移動通信端末と通信を行う通信手段を有するＩＣカードにおいて、
移動通信端末から受信したコンテンツと、このコンテンツの出力制限情報とを記憶するコンテンツ記憶手段と、
移動通信端末からコンテンツの出力命令を受信した場合に、このコンテンツの出力制限情報と、この移動通信端末の属性に基づいて、移動通信端末へのコンテンツの出力の可否を判定する出力判定手段とを備えること
を特徴とするＩＣカード。
【請求項８】
請求項７に記載のＩＣカードにおいて、
前記通信手段は、第１インターフェイス及び第２インターフェイスを備え、
前記第１インターフェイスは、ＩＣカード規格に準拠する通信インターフェイスであり、
前記第２インターフェイスは、メモリカードの仕様又はＵＳＢの仕様に準拠する通信インターフェイスであること
を特徴とするＩＣカード。
【請求項９】
移動通信端末に装着され、この移動通信端末が無線通信を行う場合に利用する使用者情報を記憶するＩＣカードに実行するＩＣカードのプログラムであって、
請求項７又は請求項８に記載のＩＣカードの各手段の機能を実行するための手順を備えていること
を特徴とするＩＣカードのプログラム。
【請求項１０】
請求項１から請求項５までのいずれか１項に記載の移動通信端末と、
請求項７又は請求項８に記載のＩＣカードと
を備える移動通信端末システム。
【請求項１１】
使用者情報を記憶する使用者情報記憶手段と、外部と通信を行う通信手段とを有するＩＣカードと、
前記ＩＣカードを着脱自在に装着し、装着しているＩＣカードと通信を行うカード通信手段と、前記ＩＣカードに記憶されている使用者情報を利用して無線通信を行う無線通信手段と、前記無線通信手段を介して外部からコンテンツを取得するコンテンツ取得手段と、前記コンテンツ取得手段によって取得されたコンテンツの再生又は実行を行うコンテンツ再生手段とを有する移動通信端末と
を備える移動通信端末システムにおいて、
前記移動通信端末のコンテンツ取得手段は、第１の部分と、第２の部分とに分割することが可能なコンテンツを取得し、
前記移動通信端末は、前記コンテンツ取得手段によって取得されたコンテンツの第１の部分を記憶する第１のコンテンツ記憶手段を有し、前記通信手段を介して前記コンテンツの第２の部分を前記ＩＣカードへ送信し、
前記ＩＣカードは、前記通信手段を介して受信したコンテンツの第２の部分を記憶する第２のコンテンツ記憶手段を有し、
前記移動通信端末のコンテンツ再生手段は、前記第１のコンテンツ記憶手段に記憶されているコンテンツの第１の部分と、前記ＩＣカードの第２のコンテンツ記憶手段に記憶されている前記コンテンツの第２の部分とを利用してコンテンツの再生又は実行を行うこと
を特徴とする移動通信端末システム。
【請求項１２】
請求項１１に記載の移動通信端末システムにおいて、
複数の前記移動通信端末に、分割可能なコンテンツを提供するコンテンツ提供装置を備え、
前記コンテンツ提供装置は、分割可能な部分が異なるコンテンツを前記複数の移動通信端末に提供し、
前記移動通信端末のコンテンツ再生手段は、第１のコンテンツ記憶手段に記憶されているコンテンツの第１の部分と対応する第２の部分を、装着しているＩＣカードが記憶している場合に、前記コンテンツの再生又は実行を行うこと
を特徴とする移動通信端末システム。
【発明の詳細な説明】
【技術分野】
【０００１】
本発明は、着脱自在に装着しているＩＣカードに記憶されている使用者情報を利用して無線通信を行う移動通信端末及びそのプログラム、前記移動通信端末に装着され、使用者情報を記憶するＩＣカード及びそのプログラム、前記移動通信端末及び前記ＩＣカードを備える移動通信端末システムに関するものである。
【背景技術】
【０００２】
近年、携帯電話機などの移動通信端末の機能が向上し、パケット通信機能を有する携帯電話機は、インターネットに接続されているサーバからアプリケーション、画像、音楽などの様々なコンテンツをダウンロードして格納し、再生することができる。
また、電話番号やメモリダイヤル情報などの移動電話サービスの加入者に関する加入者情報（使用者情報）を記憶するＩＣカードであるユーザ識別モジュール（以下、「ＵＩＭ」（Ｕｓｅｒ  Ｉｄｅｎｔｉｔｙ  Ｍｏｄｕｌｅ）という。）を着脱可能な携帯電話機の開発が進められている（例えば、特許文献１参照。）。
加入者情報をＵＩＭに格納することにより、ユーザは、自分のＵＩＭを他人の携帯電話機本体に装着することで、他人の携帯電話機を自分の携帯電話機のように使用することが可能となる。この場合には、通話やパケット通信、コンテンツのダウンロードなど携帯電話機の使用に伴う料金は、ＵＩＭに記憶されている加入者情報により特定されるユーザに課金される。
このＵＩＭのメモリ容量は小さいため、ＵＩＭを装着した携帯電話機にダウンロードされるコンテンツの本体データは、携帯電話機のメモリ（本体又はメモリカードなどの記憶媒体）に格納されることとなる。携帯電話機のメモリに格納されているコンテンツは、その保護のため、コンテンツの外部への出力が制限され、格納されている携帯電話機のみでしか使用すること（アプリケーション実行、画像表示、音楽再生など）ができない。
【特許文献１】特開２００２−１３５４０７号
【発明の開示】
【発明が解決しようとする課題】
【０００３】
従って、故障、機種変更などにより、移動通信端末を変更する場合には、以下のような点で問題があり、ユーザの利便性が損なわれていた。
（１）変更前の携帯電話機に格納されていたコンテンツを、コンテンツ実行制限を行なうことにより新しい携帯電話機でダウンロードしてＵＩＭを差し替えて使うようにすることはできるが、再度ネットワークからのダウンロードが必要であって、その際ユーザに対してパケット通信料金が新たに発生する点。
（２）携帯電話機本体に格納されているコンテンツをいったんネットワーク上のサーバに退避させて改めてダウンロードするとしても、これもユーザ課金となる点。
（３）顧客情報管理システムなどでいったんデータを吸い上げて（ただし、予めコンテンツ管理業者がこの方式によるコンテンツ移行を承諾しているコンテンツに限る。）、その後新しい携帯電話機に移す方法もあるが、全てのコンテンツが利用できるわけではない点。
一方、コンテンツの外部への出力を制限しない場合には、大きなメモリ容量を持つ着脱可能なメモリ媒体（ＳＤカード、ＭＭＣなど）への記録を行うことにより、コンテンツの移行が可能となるが、他人への譲渡や、不正に違法コピーされる恐れがあり、コンテンツ保護問題が生じることとなる。
【０００４】
本発明の課題は、コンテンツの保護を図りながらその移し替えが可能な移動通信端末及びそのプログラム、ＩＣカード及びそのプログラム、移動通信端末システムを提供することである。
【課題を解決するための手段】
【０００５】
前記課題を解決するために、請求項１の発明は、ＩＣカードを着脱自在に装着し、装着しているＩＣカードと通信を行う通信手段と、前記ＩＣカードに記憶されている使用者情報を利用して無線通信を行う無線通信手段とを備える移動通信端末において、前記ＩＣカードに記憶されている使用者情報を利用してコンテンツを取得するコンテンツ取得手段と、前記コンテンツ取得手段によってコンテンツが取得されたときに、装着しているＩＣカードから取得した使用者識別情報と、前記コンテンツとを対応づけて記憶するコンテンツ記憶手段と、前記コンテンツ記憶手段に記憶されているコンテンツを、装着しているＩＣカードへ出力する場合に、このＩＣカードから取得した使用者識別情報と、出力対象となるコンテンツに対応づけて前記コンテンツ記憶手段に記憶されている使用者識別情報とを照合する照合手段と、前記照合手段の照合結果に基づいて、この出力指示に応じてコンテンツの出力の可否を判定する出力可否判定手段とを備えることを特徴とする移動通信端末である。
【０００６】
請求項２の発明は、請求項１に記載の移動通信端末において、前記コンテンツ取得手段は、前記ＩＣカードに記憶されている使用者情報をコンテンツ取得についての決済に利用し、前記無線通信手段を介して外部からコンテンツを取得することを特徴とする移動通信端末である。
【０００７】
請求項３の発明は、請求項１又は請求項２に記載の移動通信端末において、前記コンテンツ取得手段は、前記無線通信手段を介して外部からコンテンツと、このコンテンツの外部への出力を制限するか否か、及び／又は、このコンテンツの外部への出力の条件を示す出力制限情報を取得し、前記コンテンツ記憶手段は、コンテンツと、その出力制限情報とを対応させて記憶し、前記出力可否判定手段は、前記コンテンツ取得手段によって取得される出力制限情報と、前記照合手段の照合結果とに基づいて、前記コンテンツの出力の可否を判定することを特徴とする移動通信端末である。
【０００８】
請求項４の発明は、請求項１から請求項３までのいずれか１項に記載の移動通信端末において、前記通信手段は、前記出力可否判定手段の判定結果に応じて、コンテンツ、又は、前記コンテンツ及びその出力制限情報を前記ＩＣカードへ出力し、前記通信手段によってコンテンツのＩＣカードへの出力が完了した場合に、前記コンテンツ記憶手段に記憶されている出力対象となったコンテンツを削除するコンテンツ削除手段を備えることを特徴とする移動通信端末である。
【０００９】
請求項５の発明は、請求項１から請求項４までのいずれか１項に記載の移動通信端末において、前記通信手段は、第１インターフェイス及び第２インターフェイスを備え、前記第１インターフェイスは、ＩＣカード規格に準拠する通信インターフェイスであり、前記第２インターフェイスは、メモリカードの仕様又はＵＳＢの仕様に準拠する通信インターフェイスであることを特徴とする移動通信端末である。
【００１０】
請求項６の発明は、着脱自在に装着しているＩＣカードに記憶されている使用者情報を利用して無線通信を行う移動通信端末に実行させる移動通信端末のプログラムであって、請求項１から請求項５までのいずれか１項に記載の移動通信端末の各手段の機能を実行するための手順を備えていることを特徴とする移動通信端末のプログラムである。
【００１１】
請求項７の発明は、移動通信端末に装着され、この移動通信端末が無線通信を行う場合に利用する使用者情報を記憶する使用者情報記憶手段と、前記装着されている移動通信端末と通信を行う通信手段を有するＩＣカードにおいて、移動通信端末から受信したコンテンツと、このコンテンツの出力制限情報とを記憶するコンテンツ記憶手段と、移動通信端末からコンテンツの出力命令を受信した場合に、このコンテンツの出力制限情報と、この移動通信端末の属性に基づいて、移動通信端末へのコンテンツの出力の可否を判定する出力判定手段とを備えることを特徴とするＩＣカードである。
【００１２】
請求項８の発明は、請求項７に記載のＩＣカードにおいて、前記通信手段は、第１インターフェイス及び第２インターフェイスを備え、前記第１インターフェイスは、ＩＣカード規格に準拠する通信インターフェイスであり、前記第２インターフェイスは、メモリカードの仕様又はＵＳＢの仕様に準拠する通信インターフェイスであることを特徴とするＩＣカードである。
【００１３】
請求項９の発明は、移動通信端末に装着され、この移動通信端末が無線通信を行う場合に利用する使用者情報を記憶するＩＣカードに実行するＩＣカードのプログラムであって、請求項７又は請求項８に記載のＩＣカードの各手段の機能を実行するための手順を備えていることを特徴とするＩＣカードのプログラムである。
【００１４】
請求項１０の発明は、請求項１から請求項５までのいずれか１項に記載の移動通信端末と、請求項７又は請求項８に記載のＩＣカードとを備える移動通信端末システムである。
【００１５】
請求項１１の発明は、使用者情報を記憶する使用者情報記憶手段と、外部と通信を行う通信手段とを有するＩＣカードと、前記ＩＣカードを着脱自在に装着し、装着しているＩＣカードと通信を行うカード通信手段と、前記ＩＣカードに記憶されている使用者情報を利用して無線通信を行う無線通信手段と、前記無線通信手段を介して外部からコンテンツを取得するコンテンツ取得手段と、前記コンテンツ取得手段によって取得されたコンテンツの再生又は実行を行うコンテンツ再生手段とを有する移動通信端末とを備える移動通信端末システムにおいて、前記移動通信端末のコンテンツ取得手段は、第１の部分と、第２の部分とに分割することが可能なコンテンツを取得し、前記移動通信端末は、前記コンテンツ取得手段によって取得されたコンテンツの第１の部分を記憶する第１のコンテンツ記憶手段を有し、前記通信手段を介して前記コンテンツの第２の部分を前記ＩＣカードへ送信し、前記ＩＣカードは、前記通信手段を介して受信したコンテンツの第２の部分を記憶する第２のコンテンツ記憶手段を有し、前記移動通信端末のコンテンツ再生手段は、前記第１のコンテンツ記憶手段に記憶されているコンテンツの第１の部分と、前記ＩＣカードの第２のコンテンツ記憶手段に記憶されている前記コンテンツの第２の部分とを利用してコンテンツの再生又は実行を行うことを特徴とする移動通信端末システムである。
【００１６】
請求項１２の発明は、請求項１１に記載の移動通信端末システムにおいて、複数の前記移動通信端末に、分割可能なコンテンツを提供するコンテンツ提供装置を備え、前記コンテンツ提供装置は、分割可能な部分が異なるコンテンツを前記複数の移動通信端末に提供し、前記移動通信端末のコンテンツ再生手段は、第１のコンテンツ記憶手段に記憶されているコンテンツの第１の部分と対応する第２の部分を、装着しているＩＣカードが記憶している場合に、前記コンテンツの再生又は実行を行うことを特徴とする移動通信端末システムである。
【発明の効果】
【００１７】
本発明による移動通信端末及びそのプログラム、ＩＣカード及びそのプログラム、移動通信端末システムによれば、以下の効果を得ることが可能となる。
（１）コンテンツを取得したときに装着しているＩＣカードに記憶されている使用者識別情報と、出力先となるＩＣカードに記憶されている使用者識別情報との照合結果に基づいて、移動通信端末からＩＣカードへのコンテンツの出力の可否を判定することによって、コンテンツの出力先を、コンテンツを取得した使用者のＩＣカードに制限し、コンテンツの保護を図ることが可能となる。
（２）コンテンツ取得についての決済にＩＣカードに記憶されている使用者情報を利用することによって、コンテンツ取得の対価を支払った使用者のＩＣカードに、コンテンツの出力先を制限することが可能となる。
（３）コンテンツ出力制限情報と、照合結果に基づいて、コンテンツの出力の可否を判定することによって、保護の必要性に応じてコンテンツのＩＣカードへの出力を制限することが可能となる。
（４）コンテンツのＩＣカードへの出力が完了した場合に、記憶しているコンテンツを削除することによって、コンテンツの複製を防止する。
（５）通信手段は、メモリカードの仕様又はＵＳＢの仕様に準拠する第２インターフェイスを備えるので、高速通信が可能となり、大容量のコンテンツであっても、短時間で通信処理を完了させることができる。
（６）ＩＣカードが、コンテンツの出力制限情報と、コンテンツの出力先となる移動通信端末の属性に基づいて、移動通信端末へのコンテンツの出力の可否を判定することによって、コンテンツの出力先を、所定の属性を有する移動通信端末に制限し、コンテンツの保護を図ることが可能となる。
（７）また、移動通信端末からＩＣカードを介して他の移動通信端末へコンテンツを移し替えることによって、コンテンツの保護を図りながら、移動通信端末から他の移動通信端末へのコンテンツの移し替えが可能となる。
（８）移動通信端末が、記憶しているコンテンツの第１の部分と、ＩＣカードに記憶されている第２の部分とを利用してコンテンツの再生又は実行を行うことによって、コンテンツの再生又は実行に、第２の部分を記憶しているＩＣカードが必要となり、コンテンツの再生又は実行を制限し、コンテンツの保護を図ることが可能となる。また、コンテンツの第１の部分を複製可能とした場合には、第１の部分を記憶している複数の移動通信端末のうち、任意の移動通信端末にＩＣカードを装着し、コンテンツの再生又は実行を行うことが可能となる。例えば、移動通信端末の機種変更を行う場合にも、第１の部分を新たな移動通信端末に複製することによって、新たな移動通信端末においてコンテンツの再生又は実行を行うことができ、利便性を向上するとともに、コンテンツの保護を図ることが可能となる。
【発明を実施するための最良の形態】
【００１８】
本発明は、コンテンツの保護を図りながらその移し替えが可能な移動通信端末及びそのプログラム、ＩＣカード及びそのプログラム、移動通信端末システムを提供するという目的を、ＩＣカードを着脱自在に装着し、装着しているＩＣカードと通信を行う通信部と、ＩＣカードに記憶されている使用者情報を利用して無線通信を行う無線通信部とを備える移動通信端末において、ＩＣカードに記憶されている使用者情報を利用してコンテンツを取得するコンテンツ取得部と、コンテンツ取得部によってコンテンツが取得されたときに、装着しているＩＣカードから取得した使用者識別情報と、コンテンツとを対応づけて記憶するコンテンツ記憶部と、コンテンツ記憶部に記憶されているコンテンツを、装着しているＩＣカードへ出力する場合に、このＩＣカードから取得した使用者識別情報と、出力対象となるコンテンツに対応づけてコンテンツ記憶部に記憶されている使用者識別情報とを照合する照合部と、照合部の照合結果に基づいて、この出力指示に応じてコンテンツの出力の可否を判定する出力可否判定部とを備えることによって実現する。
【実施例１】
【００１９】
以下、図面などを参照して、本発明の実施例をあげて、さらに詳しく説明する。
図１は、本発明による無線通信端末、ＩＣカード及び無線通信端末システムの実施例１における概略構成を示す図である。本実施例において、無線通信端末は、携帯電話機４０Ａ，４０Ｂである。
図１に示すように、無線通信端末システム１は、コンテンツサーバ１０と、インターネット２０と、移動通信網（パケット交換網）３０と、携帯電話機４０Ａ，４０Ｂと、携帯電話機４０の装着部４１に着脱自在なＩＣカード６０などとを備えている。無線通信端末システム１は、コンテンツサーバ１０から携帯電話機４０Ａに提供されるコンテンツを携帯電話機４０ＡからＩＣカード６０を介して携帯電話機４０Ｂに移し替えるシステムである。
なお、各携帯電話機４０Ａ，４０Ｂの構成には様々なものがあり得るが、細部にこだわらなければ、本発明の構成については、各携帯電話機４０Ａ，４０Ｂの構成は同様となるため、これらの携帯電話機４０Ａ，４０Ｂを総括して携帯電話機４０として説明し、異なる機能について、各携帯電話機４０Ａ，４０Ｂについて説明する。
【００２０】
コンテンツサーバ１０は、インターネット２０及び移動通信網３０を介して携帯電話機４０とパケット通信を行う機能を有している。このコンテンツサーバ１０には、プログラムや画像データ、楽曲データなど、携帯電話機４０に提供するための様々なコンテンツが格納されている。これらのコンテンツの中には、携帯電話機４０において実行可能なアプリケーションプログラムが含まれている。
移動通信網３０は、所定のサービス提供エリア内に在る携帯電話機４０に対してパケット通信サービスを提供する通信網であり、ゲートウェイサーバ、基地局など（図示しない。）を備えている。なお、無線通信端末システム１は、移動通信網３０に加え、回線交換網としての移動通信網（図示しない。）を備えている。この回線交換網としての移動通信網は、所定のサービス提供エリア内に在る携帯電話機４０に対して一般的な移動電話の通話サービスを提供する。
ゲートウェイサーバは、インターネット２０及び移動通信網３０を相互接続する。ゲートウェイサーバは、インターネット２０における通信プロトコルと、移動通信網３０における通信プロトコルとの相互変換を行い、インターネット２０及び移動通信網３０間においてデータの授受を中継する。基地局は、移動通信網３０の通信サービスエリア内に多数設置されており、各基地局は、それぞれカバーしている無線セルに在圏する携帯電話機４０と無線通信を行う。
【００２１】
図２は、本発明による移動通信端末及びＩＣカードの構成を示すブロック図である。
図２に示すように、ＩＣカード６０は、ＩＣカード６０を使用する使用者に関する情報（以下、「使用者情報」という。）を記憶する携帯型情報記憶媒体である。ＩＣカード６０は、ＣＰＵ６３と、ＣＰＵ６３にシステムバス６６を介して接続されている第１Ｉ／Ｆ６１、第２Ｉ／Ｆ６２及び記憶部６４及びフラッシュメモリ６５などとを備え、一般的なＵＩＭの機能及びメモリカードの機能を有している。ＩＣカード６０は、例えば、ＭＭＣ（マルチメディアカード。登録商標）規格との互換性を維持しながらマルチバンクやマルチファンクションの機能を実現するために、ＭＭＣ規格に準拠のメモリカードにＳＩＭ（Ｓｕｂｓｃｒｉｂｅｒ  Ｉｄｅｎｔｉｔｙ  Ｍｏｄｕｌｅ）を搭載したＩＣカードと同様の構成を有している（国際公開Ｗ０１／８４４８０号参照。）。
【００２２】
第１Ｉ／Ｆ６１及び第２Ｉ／Ｆ６２は、携帯電話機４０との間で行われる通信を制御する通信インターフェイスである。第１Ｉ／Ｆ６１は、ＩＳＯ／ＩＥＣ７８１６などの一般的なＩＣカード規格に準拠する通信インターフェイスであって、第１Ｉ／Ｆ６１の外部端子、通信プロトコル、コマンドは、一般的なＩＣカード規格に準拠し、携帯電話機４０の第１Ｉ／Ｆ４８と通信を行う。第２Ｉ／Ｆ６２は、ＭｕｌｔｉＭｅｄｅａＣａｒｄ（登録商標。以下、「ＭＭＣ」という。）、ＳＤカードなどの一般的なメモリカードの仕様に準拠する通信インターフェイスであって、第２Ｉ／Ｆ６２の外部端子、通信プロトコルは、この仕様に準拠し、携帯電話機４０の第２Ｉ／Ｆ５１と通信を行う。従って、第２Ｉ／Ｆ６２を介した通信は、第１Ｉ／Ｆ６１の通信と比べて高速である。これにより、大容量のコンテンツであっても、短時間で通信処理を完了させることができる。
【００２３】
記憶部６４は、ＲＡＭ６４１と、ＲＯＭ６４２と、ＳＲＡＭやＥＥＰＲＯＭなどの不揮発性メモリ６４３とを有し、種々のプログラム、データを記憶する記憶装置である。ＲＡＭ６４１は、揮発性メモリであって、ＣＰＵ６３の作業領域として用いられ、ＣＰＵ６３により実行されるプログラムや各種のデータが一時的に格納される。ＲＯＭ６４２には、オペレーティングシステム（以下、「ＯＳ」という。）など、ＣＰＵ６３により実行される各種プログラムなどが格納されている。
【００２４】
不揮発性メモリ６４３は、随時書き換え可能な不揮発性メモリであって、ＵＩＭとして機能するためのテレコムアプリケーション、コンテンツを管理するためのコンテンツ管理アプリケーション、カードＩＤ、使用者情報など、主にＵＩＭとしてＩＣカード６０が機能するための各種プログラム及びデータが格納される。使用者情報は、ＩＣカード６０の使用者に関する情報であって、加入者情報、クレジットカード番号や銀行の口座番号などの決済用識別情報、発呼や着呼などに関する履歴情報、電話帳情報などを含んでいる。加入者情報は、携帯電話機４０が通話、パケット通信などを行う、つまり、通信サービス加入者が通信サービスを受けるために必要な情報であって、加入者の電話番号など、加入者（使用者）を識別するための加入者ＩＤ、加入している通信事業者の識別情報、加入者であることを証明するための暗号鍵などを含んでいる。加入者ＩＤは、ＩＣカード６０による通信サービスの加入契約に応じて通信事業者により加入者（使用者）に対して割り当てられ、不揮発性メモリ６４３に記憶される。
【００２５】
フラッシュメモリ６５は、随時書き換え可能な不揮発性メモリであって、携帯電話機４０から出力されたコンテンツ及びその属性情報を記憶している。コンテンツの属性情報は、コンテンツを識別するためのコンテンツ名などのコンテンツ識別情報、コンテンツの種別、コンテンツの外部への出力制限の有無及び出力制限の内容を示す出力制限情報、コンテンツの種別、コンテンツのデータサイズなどを含み、コンテンツの属性を示す情報である。フラッシュメモリ６５は、保護コンテンツ格納領域と、非保護コンテンツ格納領域とを有し、保護コンテンツ格納領域には、出力が制限されるコンテンツを格納し、非保護コンテンツ格納領域には、出力制限のないコンテンツが格納される。
【００２６】
ＣＰＵ６３は、ＲＯＭ６４２や不揮発性メモリ６４３に格納されている各種プログラムを実行することにより、携帯電話機４０との通信を制御するなど、システムバス６６を介して接続されている装置各部を制御する。ＣＰＵ６３は、テレコムアプリケーションを実行することによってＵＩＭとしての処理を実行するテレコム部６３１を実現し、コンテンツ管理アプリケーションを実行することによってコンテンツ管理部６３２を実現する。ＵＩＭとしての処理とは、例えば、携帯電話機４０を介して使用者が入力するパスワードと、不揮発性メモリ６４３に予め登録されているパスワードとを照合し、使用者を正当使用者と認証するか否かを判定する使用者認証などの処理である。コンテンツ管理部６３２は、携帯電話機４０から受信するコンテンツを管理するための処理を行う。コンテンツ管理部６３２は、コンテンツの出力命令を携帯電話機４０から受信した場合に、このコンテンツの出力制限情報で示される条件に、携帯電話機４０の属性が合致するかに基づいて、無線通信端末へのコンテンツの出力の可否を判定する（後述する図５参照。）。
【００２７】
図１に示すように、携帯電話機４０は、在圏している無線セルをカバーする基地局と無線通信を行い、パケット通信サービスや通話サービスなどの通信サービスを実現する無線通信端末である。携帯電話機４０は、コンテンツサーバ１０との間でパケット通信を行い、コンテンツサーバ１０が提供するコンテンツをダウンロードすることができる。
図２に示すように、携帯電話機４０は、装着部４１と、ＣＰＵ４２と、ＣＰＵ４２にシステムバス５０で接続されている記憶部４３、無線通信部４４、入力部４５、通話処理部４６、表示部４７、第１Ｉ／Ｆ４８及び第２Ｉ／Ｆ４９などとを備えている。
【００２８】
装着部４１は、所定の形状のＩＣカード６０を着脱自在に装着する。
無線通信部４４は、アンテナなどを備え、ＣＰＵ４２の制御の下、基地局との無線通信を実現する。無線通信部４４は、ＣＰＵ４２の制御の下で、送話音声に関するデータやパケット通信用のデータなどを搬送波に重畳して送信信号を生成し、アンテナを介して基地局へ送信する。また、無線通信部４４は、基地局から送られてくる無線信号を、アンテナを介して受信し、音声データやパケット通信用のデータなどへ復調する。
【００２９】
入力部４５は、数字や文字、操作指示などを使用者から入力するための複数のキーを備え、これらのキーの操作に応じた操作信号をＣＰＵ４２へ出力する。
通話処理部４６は、マイクロフォンやスピーカなどの音声入出力装置、音声処理部などを有し、ＣＰＵ４２の制御の下、呼接続／切断処理を含む通話処理を行う。
表示部４７は、ディスプレイなどの表示装置である。
第１Ｉ／Ｆ４８及び第２Ｉ／Ｆ４９は、携帯電話機４０に装着されたＩＣカード６０との間で行われる通信を実現する通信インターフェイスである。第１Ｉ／Ｆ４８は、一般的なＩＣカード規格に準拠する通信を実現する通信インターフェイスであり、ＩＣカード６０の第１Ｉ／Ｆ６１と通信を行う。第２Ｉ／Ｆ４９は、一般的なメモリカードの仕様に準拠する通信を実現する通信インターフェイスであって、ＩＣカード６０の第２Ｉ／Ｆ６２と通信を行う。第２Ｉ／Ｆ４９は、第１Ｉ／Ｆ４８に比べて高速通信を行うことが可能である。これにより、大容量のコンテンツであっても、短時間で通信処理を完了させることができる。
【００３０】
記憶部４３は、ＲＡＭ４３１と、ＲＯＭ４３２と、ＳＲＡＭやＥＥＰＲＯＭなどの随時書き換え可能な不揮発性メモリ４３３とを有し、種々のプログラム、データを記憶する記憶装置である。ＲＯＭ４３２には、ＣＰＵ４２により実行される各種プログラムなどが格納されている。例えば、ＲＯＭ４３２には、携帯電話機４０用のＯＳやＷｅｂブラウザ、Ｊａｖａ（登録商標）実行環境を構築するソフトウェアなどが格納されている。
【００３１】
不揮発性メモリ４３３には、アプリケーションプログラムや各種のデータが格納される。不揮発性メモリ４３３は、装着部４１に装着されているＩＣカード６０から読み出した加入者情報を格納する加入者情報格納領域、コンテンツサーバ１０からダウンロードしたコンテンツ及びその属性情報を格納するコンテンツ格納領域などを有し、コンテンツ格納領域は、保護コンテンツが格納される保護コンテンツ格納領域及び非保護コンテンツが格納される非保護コンテンツ格納領域に区分されている。コンテンツサーバ１０からダウンロードされたコンテンツ及びその属性情報は、ダウンロード時に、加入者情報格納領域に記憶されている加入者情報に含まれる加入者ＩＤと対応付けられてコンテンツ格納領域に格納される。
加入者情報格納領域には、ＩＣカード６０が装着部４１に装着された場合に、ＩＣカード６０から読み出された加入者情報が格納される。つまり、加入者情報格納領域には、その時点で装着部４１に装着されているＩＣカード６０に記憶されている加入者情報が格納される。
【００３２】
ＣＰＵ４２は、演算、制御を行う中央処理装置であって、記憶部４３に格納されている各種プログラムを実行することによって、システムバス５０を介して接続されている各部を制御し、コンテンツ管理部４２１、ＩＣカード制御部４２２などを実現する。
ＩＣカード制御部４２２は、装着部４１に装着されているＩＣカード６０と第１Ｉ／Ｆ４８を介して通信を行い、コマンドを送信し、受信したレスポンスを解析するなど、ＩＣカード６０に係る処理を行う。ＩＣカード制御部４２２は、ＩＣカード６０が装着部４１に装着された場合に、ＩＣカード６０から所定の加入者情報を読み出し、加入者情報格納領域に格納する。
【００３３】
コンテンツ管理部４２１は、コンテンツサーバ１０からコンテンツをダウンロードし、不揮発性メモリ４３３のコンテンツ格納領域に格納し、コンテンツを管理する。コンテンツ管理部４２１は、コンテンツをコンテンツサーバ１０からダウンロードする場合に、装着部４１に装着されているＩＣカード６０に格納されている決済用の個人識別情報を読み出す。この個人識別情報は、コンテンツのダウンロードの対価の決済に利用される。つまり、コンテンツの提供者であるコンテンツプロバイダは、対価を支払うＩＣカード６０の使用者にコンテンツを提供し、その使用を許諾している。
【００３４】
コンテンツ管理部４２１は、コンテンツサーバ１０からコンテンツをダウンロードした場合に、加入者情報格納領域に格納されている加入者情報、つまり、コンテンツをダウンロードした時点において装着部４１に装着されているＩＣカード６０が記憶している加入者ＩＤを、ダウンロードしたコンテンツと対応付けてコンテンツ格納領域へ格納する。
また、コンテンツ管理部４２１は、コンテンツ格納領域に格納されているコンテンツについて、ＩＣカード６０への出力指示があった場合に、加入者情報格納領域に格納されている加入者ＩＤ、つまり、現時点において装着部４１に装着されているＩＣカード６０が記憶している加入者ＩＤと、出力対象となるコンテンツに対応付けられてコンテンツ格納領域に格納されている加入者ＩＤとを照合し、一致する場合に、このコンテンツの出力を許可し、第２Ｉ／Ｆ４９を介してコンテンツをＩＣカード６０へ出力する。すなわち、コンテンツ管理部４２１は、コンテンツ格納領域に格納されたコンテンツの出力先を、このコンテンツのダウンロード時に装着部４１に装着されていたＩＣカード６０に制限している。つまり、コンテンツ管理部４２１は、コンテンツ格納領域に格納されたコンテンツの出力先を、このコンテンツの使用が許諾された使用者のＩＣカード６０に制限する（後述する図４参照。）。
【００３５】
更に、コンテンツ管理部４２１は、装着部４１に装着されているＩＣカード６０に格納されているコンテンツについて、読み出しの指示があった場合に、ＩＣカード６０に対して所定のコマンドを送信して、コンテンツを読み出し、このＩＣカード６０の使用者識別情報と、受信したコンテンツと対応付けてコンテンツ格納領域へ格納する（後述する図５参照。）。
【００３６】
図３は、本発明による移動通信端末、ＩＣカード及び移動通信端末システムの動作、移動通信端末のプログラム及びＩＣカードのプログラムを示すフローチャートであり、携帯電話機４０Ａがコンテンツサーバ１０からＪａｖａアプリケーションなどのコンテンツをダウンロードする処理を示している。以下、携帯電話機４０ＡのＣＰＵ４２の処理を中心に説明する。
ステップ２００及びステップ３００（以下、「ステップ」を「Ｓ」という。）において、ＩＣカード６０は、携帯電話機４０Ａに装着され、このＩＣカード６０の加入者情報が携帯電話機４０Ａの加入者情報格納領域に格納されている。
【００３７】
使用者は、携帯電話機４０Ａの入力部４５を操作してＷｅｂブラウザの起動を指示する。携帯電話機４０Ａは、コンテンツサーバ１０から提供されるコンテンツダウンロード用のＷＷＷページなどを表示部４７に表示する（Ｓ１１０，Ｓ２１０）。使用者が、表示画面に従って、コンテンツのダウンロードを指示すると、携帯電話機４０Ａは、決済用識別情報をＩＣカード６０から読み出し（Ｓ２２０，Ｓ３１０）、この決済用識別情報をコンテンツサーバ１０へ送信するとともに、ダウンロード要求を無線通信部４４を介してコンテンツサーバ１０へ送信する（Ｓ２３０）。このダウンロード要求には、ダウンロードを指示するコマンドとダウンロードするコンテンツを指定する情報とが含まれている。コンテンツサーバ１０は、携帯電話機４０Ａからのダウンロード要求を受信し（Ｓ１２０）、この要求で指定されるコンテンツ及び属性情報を読み出し（Ｓ１３０）、携帯電話機４０Ａへ送信する（Ｓ１４０）。
【００３８】
携帯電話機４０Ａは、コンテンツ及び属性情報を受信し（Ｓ２４０）、加入者情報格納領域に格納されている加入者ＩＤを読み出す（Ｓ２５０）。なお、加入者情報格納領域には、装着部４１にＩＣカード６０が装着された時点で、このＩＣカード６０から取得した加入者ＩＤが格納されている。携帯電話機４０Ａは、読み出した加入者ＩＤを、ダウンロードしたコンテンツ及び属性情報と対応付けて不揮発性メモリ４３３のコンテンツ格納領域に格納する（Ｓ２６０）。なお、携帯電話機は、属性情報に基づいて、出力が制限される保護コンテンツであるか否かを確認し、確認結果に応じて保護コンテンツ格納領域又は非保護コンテンツ格納領域へ格納する。
【００３９】
図４は、本発明による移動通信端末、ＩＣカード及び移動通信端末システムの動作、移動通信端末のプログラム及びＩＣカードのプログラムを示すフローチャートであり、コンテンツを携帯電話機４０ＡからＩＣカード６０へ移し替える処理を示している。以下、携帯電話機４０ＡのＣＰＵ４２及びＩＣカード６０のＣＰＵ６３の処理を中心に説明する。
Ｓ４００及びＳ５００において、ＩＣカード６０は、携帯電話機４０Ａに装着され、このＩＣカード６０の加入者情報が携帯電話機４０Ａの加入者情報格納領域に格納されている。
使用者は、コンテンツ管理アプリケーションの起動を指示し、起動後の表示部４７の表示に従って、入力部４５を操作し、出力対象となるコンテンツを指定し、ＩＣカード６０への出力を指示する。携帯電話機４０Ａは、コンテンツ識別情報を含むコンテンツ出力指示を入力する（Ｓ４１０）。
【００４０】
携帯電話機４０Ａは、指定されたコンテンツの属性情報に含まれる出力制限情報において、このコンテンツについてＩＣカード６０への出力が制限されているか否か、保護コンテンツであるか非保護コンテンツであるかを確認する（Ｓ４２０）。出力が制限されていない非保護コンテンツである場合には、Ｓ４６０へ進む（Ｓ４３０）。
出力が制限されている場合には、携帯電話機４０Ａは、出力制限情報に基づいて、出力の条件を満たしているか否かを判定する（Ｓ４３０，Ｓ４４０）。条件を満たしていないと判定した場合には、携帯電話機４０Ａは、処理を終了する（Ｓ４９０）。
条件を満たしていると判定した場合には、携帯電話機４０Ａは、加入者情報格納領域に格納されている加入者ＩＤ、つまり、現時点で装着部４１に装着されているＩＣカード６０の使用者の加入者ＩＤと、指定されたコンテンツに対応付けて記憶している加入者ＩＤとを照合する（Ｓ４４５）。加入者ＩＤが一致しない場合には、エラーとなり、携帯電話機４０Ａは、その旨を表示部４７に表示して使用者に通知し、コンテンツを出力せずに、処理を終了する（Ｓ４５０，Ｓ４９０）。
【００４１】
一方、加入者ＩＤが一致する場合には、携帯電話機４０Ａは、コンテンツのＩＣカード６０への出力を許可し、コンテンツ及びその属性情報をＩＣカード６０へ出力する（Ｓ４５０，Ｓ４６０）。
ＩＣカード６０は、コンテンツ及び属性情報を受信し（Ｓ５１０）、保護の要否を確認し、保護コンテンツ格納領域又は非保護コンテンツ格納領域に格納する（Ｓ５２０）。
ＩＣカード６０は、コンテンツ格納完了後にその旨の通知を携帯電話機４０Ａへ送信し（Ｓ５３０）、携帯電話機４０Ａは、この通知を受け（Ｓ４７０）、出力したコンテンツをコンテンツ格納領域から削除し（Ｓ４８０）、処理を終了する（Ｓ４９０）。
【００４２】
図５は、本発明による移動通信端末、ＩＣカード及び移動通信端末システムの動作、移動通信端末のプログラム及びＩＣカードのプログラムを示すフローチャートであり、コンテンツをＩＣカード６０から携帯電話機４０Ｂへ移し替える処理を示している。以下、携帯電話機４０ＢのＣＰＵ４２及びＩＣカード６０のＣＰＵ６３の処理を中心に説明する。
使用者は、コンテンツ管理アプリケーションの起動を指示し、起動後の表示部４７の表示に従って、入力部４５を操作して移し替えの対象となるコンテンツを指定し、ＩＣカード６０から携帯電話機４０Ｂへのコンテンツの移し替えを指示する。携帯電話機４０Ｂは、この指示を入力する（Ｓ６１０）。
携帯電話機４０Ｂは、指定されたコンテンツ及びその属性情報の読み出し命令をＩＣカード６０へ送信する（Ｓ６２０）。ＩＣカード６０は、この命令を受信し（Ｓ７１０）、コンテンツの属性情報に含まれる出力制限情報において、このコンテンツについて出力制限があるか否かを確認する（Ｓ７２０）。出力制限がない場合には、Ｓ７５０へ進む。
出力制限がある場合には、ＩＣカード６０は、指定されたコンテンツの属性情報に含まれる出力制限情報を参照し、携帯電話機４０Ｂから受信した命令に従って行う出力が、出力の条件を満たしているか否かを判定する（Ｓ７４０）。例えば、ＩＣカード６０は、携帯電話機４０Ｂの属性情報を携帯電話機４０Ｂから受信し、携帯電話機４０Ｂのコンテンツの保護機能の有無、いずれのメーカーの製品かなどを確認し、出力条件を満たしているかを判定する。
条件を満たしていない場合には、エラーとなり、ＩＣカード６０は、その旨を携帯電話機４０Ｂへ通知し、処理を終了する（Ｓ７８０）。条件を満たしている場合には、ＩＣカード６０は、コンテンツ及びその属性情報を携帯電話機４０Ｂへ出力する（Ｓ７５０）。
携帯電話機４０Ｂは、コンテンツ及び属性情報を受信し（Ｓ６３０）、加入者情報格納領域から加入者ＩＤを読み出し（Ｓ６４０）、受信したコンテンツ及び属性情報に対応させて、保護コンテンツ格納領域又は非保護コンテンツ格納領域に格納する（Ｓ６５０）。
携帯電話機４０Ｂは、コンテンツ格納完了後にその旨の通知をＩＣカード６０へ送信し（Ｓ６６０）、ＩＣカード６０は、この通知を受け（Ｓ７６０）、出力したコンテンツをコンテンツ格納領域から削除し（Ｓ７７０）、処理を終了する（Ｓ７８０）。
【００４３】
このように、本実施例によれば、コンテンツを取得したときに携帯電話機４０Ａに装着しているＩＣカード６０に記憶されている加入者ＩＤと、出力先となるＩＣカード６０に記憶されている加入者ＩＤとの照合結果に基づいて、携帯電話機４０ＡからＩＣカード６０へのコンテンツの出力の可否を判定するため、コンテンツの出力先を、コンテンツを取得した使用者のＩＣカード６０に制限することが可能となった。
また、携帯電話機４０Ａは、コンテンツ取得についての決済に利用した決済用識別情報を記憶するＩＣカード６０へコンテンツの出力先を制限するため、コンテンツ取得の対価を支払った使用者のＩＣカードに、コンテンツの出力先を制限することが可能となった。
更に、携帯電話機４０Ａは、出力制限情報と、照合結果に基づいて、コンテンツの出力の可否を判定するため、保護の必要性に応じてコンテンツのＩＣカード６０への出力を制限することが可能となった。
更にまた、携帯電話機４０Ａは、コンテンツのＩＣカード６０への出力が完了した場合に、記憶しているコンテンツを削除するため、コンテンツの複製を防止し、コンテンツの保護を図ることが可能となった。
また、ＩＣカード６０が、コンテンツの出力制限情報と、コンテンツの出力先となる携帯電話機４０Ｂの属性に基づいて、携帯電話機４０Ｂへのコンテンツの出力の可否を判定するため、コンテンツの出力先を、所定の属性を有する携帯電話機４０Ｂに制限し、コンテンツの保護を図ることが可能となった。
更に、携帯電話機４０ＡからＩＣカード６０を介して携帯電話機４０Ｂへコンテンツを移し替えるため、コンテンツの保護を図りながら、携帯電話機４０Ａから他の携帯電話機４０Ｂへのコンテンツの移し替えが可能となった。例えば、携帯電話機４０Ａの機種変更や故障時などに、コンテンツを保護しながらコンテンツを移し替えることができ、使用者の利便性を向上することが可能となった。
【００４４】
（変形例）
以上説明した実施例に限定されることなく、種々の変形や変更が可能であって、それらも本発明の均等の範囲内である。
例えば、実施例１において、無線通信端末システム１は、使用者識別情報として、電話番号などの加入者ＩＤを利用しているが、使用者識別情報は、これに限定されず、例えば、決済用の個人識別情報、ＩＣカード６０を識別するためのカード識別情報を使用者識別情報として利用してもよい。
【００４５】
ＩＣカード６０は、コンテンツ及び属性情報をフラッシュメモリ６５に格納するが、不揮発性メモリ６４３にコンテンツ格納領域を設けて格納してもよく、いずれの不揮発性メモリに格納するかは限定されない。
【００４６】
コンテンツがアプリケーションの場合に、コンテンツを第１の部分と第２の部分に分割して、第１の部分は、携帯電話機４０に記憶しておき（第１のコンテンツ記憶手段）、第２の部分をＩＣカード６０から、携帯電話機４０に移動させないようにして、ＩＣカード６０内に記憶しておき（第２のコンテンツ記憶手段）、携帯電話機４０は、アプリケーション実行時に、携帯電話機４０内の第１の部分と、ＩＣカード６０内に記憶した第２の部分の機能を呼び出して、アプリケーション実行するようにしてもよい（コンテンツ再生手段）。つまり、アプリケーションプログラムの一部（第２の部分）の機能（これを実行しないと、プログラムを実行することができない機能）を、ＩＣカード６０に記憶し、その他のプログラム（第１の部分）を、携帯電話機４０に格納する。携帯電話機４０は、アプリケーションプログラムを実行する中で、ＩＣカード６０に格納されているプログラムを呼び出し、その結果を受け取る。このとき、ＩＣカード６０に格納されているプログラムを、ＩＣカード６０が実行してもよいし、そのプログラムを携帯電話機４０が読み出して実行してもよい。この方法であれば、ＩＣカード６０に記憶されたプログラムがなければ、アプリケーションを実行することができず、アプリケーションプログラムの実行に制限をかけることが可能である。
また、携帯電話機４０がコンテンツをダウンロードする場合に、その一部（第２の部分）の機能を、ＩＣカード６０に直に格納してもよいし、携帯電話機４０がコンテンツ全体を格納し、これをＩＣカード６０に移動し、他の携帯電話機４０に移し替える場合に、一部の機能をＩＣカード６０に残すようにしてもよい。
【００４７】
なお、アプリケーションプログラムから分離する部分（第２の部分）の機能を全て同一とした場合に、装着しているＩＣカード６０に関わらず、携帯電話機４０でアプリケーションの実行が可能となってしまう可能性がある。
この場合には、コンテンツとともに、シリアルナンバー、認証鍵等をダウンロードし、これらのものを用いて、携帯電話機４０内のアプリケーションや、ＩＣカード６０のアプリケーションで認証を行い、認証が成功した場合に、プログラムを実行するようにすればよい。また、分割する第２の部分を変えて、複数のパターンを作り、各パターンにシリアルナンバーを割り当て、パターンナンバーが同一であれば、プログラムが実行可能であり、パターンナンバーが異なれば、プログラムを実行することができないようにすれば、携帯電話機４０で分割パターンを認識し、実行を制限することができる。
【００４８】
第２Ｉ／Ｆ６２及び第２Ｉ／Ｆ４９は、一般的なＵＳＢ（Ｕｎｉｖｅｒｓａｌ  Ｓｅｒｉａｌ  Ｂｕｓ）の仕様に準拠する通信を実現する通信インターフェイスであってもよい。
【図面の簡単な説明】
【００４９】
【図１】無線通信端末、ＩＣカード及び無線通信端末システムの概略構成を示す図である（実施例１）。
【図２】移動通信端末及びＩＣカードの構成を示すブロック図である（実施例１）。
【図３】移動通信端末、ＩＣカード及び移動通信端末システムの動作、移動通信端末のプログラム及びＩＣカードのプログラムを示すフローチャートである（実施例１）。
【図４】移動通信端末、ＩＣカード及び移動通信端末システムの動作、移動通信端末のプログラム及びＩＣカードのプログラムを示すフローチャートである（実施例１）。
【図５】移動通信端末、ＩＣカード及び移動通信端末システムの動作、移動通信端末のプログラム及びＩＣカードのプログラムを示すフローチャートである（実施例１）。
【符号の説明】
【００５０】
１  移動通信システム
１０  コンテンツサーバ
４０，４０Ａ，４０Ｂ  携帯電話機
４１  装着部
４２  ＣＰＵ
４３  記憶部
４８  第１Ｉ／Ｆ部
４９  第２Ｉ／Ｆ部
６０  ＩＣカード
６１  第１Ｉ／Ｆ部
６２  第２Ｉ／Ｆ部
６３  ＣＰＵ
６４  記憶部
６５  フラッシュメモリ
【図１】
2007181108.tif 000003
【図２】
2007181108.tif 000004
【図３】
2007181108.tif 000005
【図４】
2007181108.tif 000006
【図５】
2007181108.tif 000007